(57)【特許請求の範囲】
【請求項１】
屋外に開口する外部フード給気口に風力により自転するプロペラを回転自在に設置するとともに、該プロペラにこれの前面と外周の少なくとも一部を覆う防虫網を取り付けたことを特徴とする外部フードの防虫構造。
【請求項２】
前記防虫網を有底筒状に成形したことを特徴とする請求項１記載の外部フードの防虫構造。
【請求項３】
前記防虫網を円錐台状に成形したことを特徴とする請求項１記載の外部フードの防虫構造。
【請求項４】
前記防虫網を前記プロペラの回転軸に挿通し、該回転軸に挿通嵌合する止具によって防虫網をプロペラに着脱可能に取り付けたことを特徴とする請求１，２又は３項記載の外部フードの防虫構造。
【請求項５】
前記外部フード給気口に嵌合するダクトブラケットとこれに支持される前記プロペラ及び前記防虫網を防虫ユニットとして一体的に構成し、該防虫ユニットを外部フード給気口に着脱可能としたことを特徴とする請求項１記載の外部フードの防虫構造。
【請求項６】
前記防虫網の前記プロペラの外周の少なくとも一部を覆う円筒部の内側に円筒状のガイド部材を防虫網の円筒部との間に微小クリアランスを設けて臨ませたことを特徴とする請求項５記載の外部フードの防虫構造。
【発明の詳細な説明】
【０００１】
【発明の属する技術分野】
本発明は、各種換気ダクトの屋外開口端に取り付けられた外部フードの防虫構造に関する。
【０００２】
【従来の技術】
例えば、住宅用の換気装置は、屋外に開口する外部フード給気口から新鮮な外気を吸引し、この外気をダクトを経て室内に導入することによって所要の換気作用を行うが、図１２に示すように、従来は外部フード１０４の給気口１０４ｂを防虫網１１４で覆い、屋外の虫等の室内への吸引を防虫網１１４で防ぐことが行われていた。
【０００３】
ところが、上記従来の防虫構造においては、防虫網１１４に虫等が付着してその付着量が経時的に増えると、該防虫網１１４に目詰まりが生じて換気効率が低下するという問題があった。
【０００４】
そこで、図１３に示すように、防虫網２１４の屋外側に給気風によって回転するプロペラ２１３を設け、このプロペラ２１３の背面にブラシ２３０を取り付け、外気と共に吸引される虫等をプロペラ２１３によって跳ね飛ばすとともに、防虫網２１４に付着した虫等を該防虫網２１４に接触しながらプロペラ２１３と共に回転するブラシ２３０によって払い落とすようにした防虫構造が提案されている（特開平９−１８９４３９号公報参照）。
【０００５】
【発明が解決しようとする課題】
ところが、図１３に示す従来の防虫構造にあっては、ブラシ２３０が防虫網２１４に接触していなければ所望の効果が得られないため、両者の摩擦によってプロペラ２１３の回転が低下するという問題があった。
【０００６】
又、小さな虫やゴミがブラシ２３０に絡むため、ブラシ２３０を消耗品として交換する必要があり、不経済であるばかりか、ブラシ２３０の交換という煩わしい作業を要するという問題もあった。
【０００７】
本発明は上記問題に鑑みてなされたもので、その目的とする処は、消耗品の交換が不要で、他部品と接触することなくプロペラと防虫網を常に安定して回転させて所望の防虫機能を確実に発揮することができる外部フードの防虫構造を提供することにある。
【０００８】
【課題を解決するための手段】
上記目的を達成するため、請求項１記載の発明は、屋外に開口する外部フード給気口に風力により自転するプロペラを回転自在に設置するとともに、該プロペラにこれの前面と外周の少なくとも一部を覆う防虫網を取り付けて外部フードの防虫構造を構成したことを特徴とする。
【０００９】
請求項２記載の発明は、請求項１記載の発明において、前記防虫網を有底筒状に成形したことを特徴とする。
【００１０】
請求項３記載の発明は、請求項１記載の発明において、前記防虫網を円錐台状に成形したことを特徴とする。
【００１１】
請求項４記載の発明は、請求項１，２又は３記載の発明において、前記防虫網を前記プロペラの回転軸に挿通し、該回転軸に挿通嵌合する止具によって防虫網をプロペラに着脱可能に取り付けたことを特徴とする。
【００１２】
請求項５記載の発明は、請求項１記載の発明において、前記外部フード給気口に嵌合するダクトブラケットとこれに支持される前記プロペラ及び前記防虫網を防虫ユニットとして一体的に構成し、該防虫ユニットを外部フード給気口に着脱可能としたことを特徴とする。
【００１３】
請求項６記載の発明は、請求項５記載の発明において、前記防虫網の前記プロペラの外周の少なくとも一部を覆う円筒部の内側に円筒状のガイド部材を防虫網の円筒部との間に微小クリアランスを設けて臨ませたことを特徴とする。
【００１４】
従って、請求項１〜３記載の発明によれば、給気風によって回転するプロペラと共に防虫網が回転するため、該防虫網に付いた虫やゴミ等は遠心力によって弾き飛ばされて給気口への侵入が阻止されるとともに、これらの防虫網への付着が防がれる。そして、万一、虫やゴミ等が防虫網に付着して堆積したとしても、これらが或る一定の量（重量）になれば遠心力によって除去されるため、防虫網に自己洗浄効果が確保され、その目詰まりが防がれて高い換気効率を維持することができる。
【００１５】
又、本発明に係る防虫構造には消耗品が存在しないために経済的であるとともに、消耗品の交換等のメンテナンスが不要である。
【００１６】
更に、本発明に係る防虫構造には回転するプロペラ及び防虫網と他部品との接触箇所が存在しないため、プロペラと防虫網に常に安定した回転が確保されて所望の防虫機能が得られる。
【００１７】
請求項４記載の発明によれば、防虫網を止具によってプロペラの回転軸に対して簡単に着脱することができる。
【００１８】
請求項５記載の発明によれば、ダクトブラケットとこれに支持されるプロペラ及び防虫網を防虫ユニットとして一体的に構成したため、該防虫ユニットの単品での着脱が可能となり、部品の清掃や交換等のメンテナンンスを簡単に行うことができる。
【００１９】
請求項６記載の発明によれば、防虫網の円筒部の内側に円筒状のガイド部材を防虫網の円筒部との間に微小クリアランスを設けて臨ませたため、回転部と静止部との間の隙間からの虫やゴミ等の侵入が確実に防がれる。
【００２０】
【発明の実施の形態】
以下に本発明の実施の形態を添付図面に基づいて説明する。
【００２１】
＜実施の形態１＞
図１は本発明に係る防虫構造を備える室内換気システムの構成図、図２は図１のＡ部拡大詳細図である。
【００２２】
図１において、１は屋内の天井裏に設置された換気装置であり、この換気装置１には電動モータによって駆動される不図示の送風機が内蔵されている。そして、この換気装置１の入口側には円筒状の換気ダクト２が接続されており、該換気ダクト２は図示のように外壁３を貫通して屋外に開口している。
【００２３】
而して、図２に詳細に示すように、上記換気ダクト２の屋外への開口部には外部フード４がその円筒部４ａが嵌合することによって取り付けられており、該外部フード４の給気口４ｂ（円筒部４ａの内部）には本発明に係る防虫構造を構成する防虫ユニット５が着脱可能に嵌合保持されている。
【００２４】
他方、図１に示すように、前記換気装置１の出口側からは給気ダクト６が導出しており、該給気ダクト６は室内に開口している。
【００２５】
ここで、前記防虫ユニット５の構成の詳細を図３〜図８に基づいて説明する。尚、図３は防虫ユニットの側面図、図４は同防虫ユニットの正面図、図５は同防虫ユニットの背面図、図６は図３のＢ部拡大詳細図、図７は同防虫ユニットの分解図、図８は同防虫ユニットの作用を説明するための斜視図である。
【００２６】
図において、７は略円筒状に成形されたダクトブラケットであり、このダクトブラケット７の円筒部７ａから後方（図３の右方）へは先細状のテーパ部７ｂが形成されている。そして、このダクトブラケット７の前端には円筒状のガイド部材８が取り付けられている。即ち、ガイド部材８は、その後端に形成されたフランジ８ａをダクトブラケット７の前端に形成されたフランジ７ｃに接合して両者を締着することによってダクトブラケット７の前端に取り付けられており、該ガイド部材８とダクトブラケット７は防虫ユニット５のケーシングを構成している。
【００２７】
又、９は帯状の金属プレートをチャンネル状に折曲成形して得られた固定金具であって、この固定金具９は前記ダクトブラケット７内に収納され、その上下の外端部がダクトブラケット７の後端内周面に接合されることによってダクトブラケット７に取り付けられている。そして、この固定金具９の屈曲部９ａの前面中心部には円孔９ｂ（図７参照）が穿設されており、前面の裏側には円孔９ｂを中心としてベアリング１０が各２個のボルト１１とナット１２によって取り付けられている。
【００２８】
更に、１３は４枚羽根を有するプロペラ、１４は有底筒状に成形された防虫網であり、防虫網１４は、その中心部をプロペラ１３の回転軸１５に挿通した後、回転軸１５に挿通嵌合する止具１６をこれに押し付けることによってプロペラ１３に取り付けられる。そして、防虫網１４がプロペラ１３に取り付けられた状態では、図３に示すように、プロペラ１３の前面と外周の一部は防虫網１４の前面１４ａと円筒部１４ｂによってそれぞれ覆われる。
【００２９】
他方、１７は帯状の金属プレートをコの字状に折曲成形して得られた固定金具であり、この固定金具１７はその上下の外端フランジ部１７ａが前記ダクトブラケット７とガイド部材８の各フランジ７ｃ，８ａに共締めされることによって固定され、その中心部には円孔１７ｂ（図７参照）が穿設されている。そして、この固定金具１７の中心部の外面には前記円孔１７ｂを中心としてベアリング１８が各２個のボルト１９とナット２０によって取り付けられている。
【００３０】
而して、防虫網１４が取り付けられたプロペラ１３の回転軸１５は、その一端が前記固定金具９に穿設された円孔９ｂを貫通して前記ベアリング１０によって回転自在に支持され、他端は前記固定金具１７に穿設された円孔１７ｂを貫通して前記ベアリング１８によって回転自在に支持されている。即ち、図３〜図５に示す組付状態においては、プロペラ１３とこれに取り付けられた防虫網１４はベアリング１０，１８によって回転自在に支持されており、このとき、プロペラ１３は前記ガイド部材８内に収納され、該プロペラ１３に取り付けられた防虫網１４の円筒部１４ｂの内側には、図６に詳細に示すように、ガイド部材８が防虫網１４の円筒部１４ｂとの間に微小クリアランスδを形成して臨んでいる。
【００３１】
以上の構成を有する防虫ユニット５は、そのダクトブラケット７のテーパ部７ｂをガイドとして屋外側から前記外部フード４の給気口４ｂにダクトブラケット７の円筒部７ａを嵌め込むことによって図２に示すように固定されている。
【００３２】
次に、防虫ユニット５の作用を説明する。
【００３３】
図１に示す換気装置１が駆動され、該換気装置１に内蔵された不図示の送風機によって新鮮な外気は外部フード４の開口部４ｃ（図２参照）から吸引され、この外気は防虫ユニット５の防虫網１４のメッシュを通過して給気として換気ダクト２を換気装置１側に向かって流れる。
【００３４】
而して、上記給気流れ（給気風）によって防虫ユニット５のプロペラ１３が図８の矢印方向に回転（自転）し、このプロペラ１３に取り付けられた防虫網１４もプロペラ１３と一体に同方向に回転する。
【００３５】
上述のように防虫網１４がプロペラ１３と共に回転すると、該防虫網１３に付いた屋外の虫やゴミ等は図８に示すように遠心力によって外方へと弾き飛ばされて換気ダクト２への侵入が阻止されるとともに、これらの防虫網１４への付着が防がれる。そして、万一、虫やゴミ等が防虫網１４に付着して堆積したとしても、これらが或る一定の量（重量）になれば遠心力によって除去されるため、防虫網１４に自己洗浄効果が確保され、その目詰まりが防がれて換気装置１の換気効率の低下が防がれる。
【００３６】
又、本実施の形態に係る防虫ユニット５においては、防虫網１４の円筒部１４ｂの内側に円筒状のガイド部材８を防虫網１４の円筒部１４ｂとの間に微小クリアランスδを設けて臨ませたため、回転部と静止部との間の隙間からの虫やゴミ等の侵入が確実に防がれる。
【００３７】
以上のように、防虫網１４によって虫やゴミ等が除去された給気は換気ダクト２を図１の矢印方向に流れて換気装置１を通過することによって浄化（場合によっては全熱交換）された後、給気ダクト６から室内に供給されて室内の換気に供される。
【００３８】
而して、本実施の形態では、ダクトブラケット７とこれに支持されるプロペラ１３及び防虫網１４とを防虫ユニット５として一体的に構成したため、該防虫ユニット５の単品での着脱が可能となり、例えば取り外した防虫ユニット５を図７に示すように分解することができ、部品の清掃や交換等のメンテナンンスを簡単に行うことができる。
【００３９】
又、本実施の形態に係る防虫ユニット５には従来のような消耗品が存在しないために経済的であるとともに、消耗品の交換等のメンテナンスが不要となる。そして、回転するプロペラ１３及び防虫網１４と他部品との接触箇所が存在しないため、プロペラ１３と防虫網１４に常に安定した回転が確保されて所望の防虫機能が確実に得られる。
【００４０】
更に、防虫網１４をプロペラ１３の回転軸１５に挿通し、該回転軸１５に挿通嵌合する止具１６によって防虫網１４をプロペラ１３に着脱可能に取り付ける構成を採用したため、該防虫網１４をプロペラ１３の回転軸１５に対して簡単に着脱することができる。
【００４１】
＜実施の形態２＞
次に、本発明の実施の形態２を図９〜図１１に基づいて説明する。尚、図９は実施の形態２に係る防虫ユニットの側面図、図１０は同防虫ユニットの正面図、図１１は同防虫ユニットの分解図であり、これらの図においては図３〜図８において示したと同一要素には同一符号を付しており、以下、それらについての説明は省略する。
【００４２】
本実施の形態に係る防虫ユニット５は、円錐台状に成形された防虫網１４’を使用し、これをスリーブ状のカラー２１と止具１６を用いてプロペラ１３に固定する方式を採用したものであって、他の構成は前記実施の形態１のそれと同様である。
【００４３】
而して、本実施の形態に係る防虫ユニット５においても、防虫網１４’がプロペラ１３と共に回転すると、該防虫網１４’に付いた屋外の虫やゴミ等は遠心力によって外方へと弾き飛ばされるが、防虫網１４’は円錐台状に成形されているため、虫やゴミ等は防虫網１４’のテーパ面１４ａ’に沿ってより効果的に弾き飛ばされて除去される。その他、本実施の形態においても前記実施の形態１と同様の効果が得られる。
【００４４】
【発明の効果】
以上の説明で明らかなように、請求項１〜３記載の発明によれば、給気風によって回転するプロペラと共に防虫網が回転するため、該防虫網に付いた虫やゴミ等は遠心力によって弾き飛ばされて給気口への侵入が阻止されるとともに、これらの防虫網への付着が防がれる。そして、万一、虫やゴミ等が防虫網に付着して堆積したとしても、これらが或る一定の量（重量）になれば遠心力によって除去されるため、防虫網に自己洗浄効果が確保され、その目詰まりが防がれて高い換気効率を維持することができる。
【００４５】
又、本発明に係る防虫構造には消耗品が存在しないために経済的であるとともに、消耗品の交換等のメンテナンスが不要である。
【００４６】
更に、本発明に係る防虫構造には回転するプロペラ及び防虫網と他部品との接触箇所が存在しないため、プロペラと防虫網に常に安定した回転が確保されて所望の防虫機能が得られる。
【００４７】
請求項４記載の発明によれば、防虫網を止具によってプロペラの回転軸に対して簡単に着脱することができる。
【００４８】
請求項５記載の発明によれば、ダクトブラケットとこれに支持されるプロペラ及び防虫網を防虫ユニットとして一体的に構成したため、該防虫ユニットの単品での着脱が可能となり、部品の清掃や交換等のメンテナンンスを簡単に行うことができる。
【００４９】
請求項６記載の発明によれば、防虫網の円筒部の内側に円筒状のガイド部材を防虫網の円筒部との間に微小クリアランスを設けて臨ませたため、回転部と静止部との間の隙間からの虫やゴミ等の侵入が確実に防がれる。
【図面の簡単な説明】
【図１】本発明に係る防虫構造を備える室内換気システムの構成図である。
【図２】図１のＡ部拡大詳細図である。
【図３】本発明の実施の形態１に係る防虫ユニットの側面図である。
【図４】本発明の実施の形態１に係る防虫ユニットの正面図である。
【図５】本発明の実施の形態１に係る防虫ユニットの背面図である。
【図６】図３のＢ部拡大詳細図である。
【図７】本発明の実施の形態１に係る防虫ユニットの分解図である。
【図８】本発明の実施の形態１に係る防虫ユニットの作用を説明するための斜視図である。
【図９】本発明の実施の形態２に係る防虫ユニットの側面図である。
【図１０】本発明の実施の形態２に係る防虫ユニットの正面図である。
【図１１】本発明の実施の形態２に係る防虫ユニットの分解図である。
【図１２】従来の防虫構造を示す断面図である。
【図１３】従来の防虫構造を示す断面図である。
【符号の説明】
４            外部フード
４ｂ          外部フード給気口
５            防虫ユニット
７            ダクトブラケット
８            ガイド部材
１３          プロペラ
１４，１４’  防虫網
１４ｂ        円筒部
１５          プロペラ回転軸
１６          止具
δ            微小クリアランス
【図１】
0004251584.tif 000002
【図２】
0004251584.tif 000003
【図３】
0004251584.tif 000004
【図４】
0004251584.tif 000005
【図５】
0004251584.tif 000006
【図６】
0004251584.tif 000007
【図７】
0004251584.tif 000008
【図８】
0004251584.tif 000009
【図９】
0004251584.tif 000010
【図１０】
0004251584.tif 000011
【図１１】
0004251584.tif 000012
【図１２】
0004251584.tif 000013
【図１３】
0004251584.tif 000014